(57)【要約】【課題】所定以上の荷重が吊掛部材に作用した場合であっても天井部または壁部の破損を防止することができる吊持装置を提供する。【解決手段】壁部Ｗに物品を吊るす吊持装置１であって、吊持装置１は、壁部Ｗに固定されるベース部材２と、該ベース部材２の傾斜面２５に対してコイルバネ２５に付勢されるピン部材５０により係脱可能に係止される吊掛部材４と、を備え、吊掛部材４に所定以上の荷重が作用した際に、ベース部材２と吊掛部材４との係止状態が解除される。【選択図】図７
2018138074.tif 000002
【特許請求の範囲】
【請求項１】
天井部または壁部に物品を吊るす吊持装置であって、
前記吊持装置は、前記天井部または壁部に固定されるベース部材と、該ベース部材に対して係止手段により係脱可能に係止される吊掛部材と、を備え、
前記吊掛部材に所定以上の荷重が作用した際に、前記ベース部材と前記吊掛部材との係止状態が解除されることを特徴とする吊持装置。
【請求項２】
前記吊掛部材は、前記ベース部材に対して上下方向に案内されて係止されていることを特徴とする請求項１に記載の吊持装置。
【請求項３】
前記係止手段は、係止部と該係止部に対して係止されるピンとからなり、前記ピンは所定以上の荷重が前記吊掛部材に作用した際に、前記係止部との係止状態が解除されることを特徴とする請求項１または２に記載の吊持装置。
【請求項４】
前記係止部は、下向きに傾斜する傾斜面を有し、
前記ピンは、前記傾斜面に対して押圧力を作用させる付勢手段を備えていることを特徴とする請求項３に記載の吊持装置。
【請求項５】
前記傾斜面は、弧状であることを特徴とする請求項４に記載の吊持装置。
【発明の詳細な説明】
【技術分野】
【０００１】
本発明は、天井部または壁部に物品を吊るすために用いられる吊持装置に関する。
【背景技術】
【０００２】
吊持装置としては、例えばネジや釘などを用いて壁部に固定され、ハンガーに掛けられた衣類を吊持するものが知られている。
【０００３】
このような吊持装置としては、特許文献１に開示されているように、上面視略Ｕ字状に形成された半円筒板と、略Ｕ字状に形成されたフックと、から主に構成されるものがある。半円筒板は、両縁に折り曲げ形成された一対の取付座と、フックを略垂直に係止可能な３つの掛止溝と、を具備している。この吊持装置は、取付座に設けられた孔を介するビスにより壁部に固定され、フックに物品を吊持させることができる。また、この吊持装置は、所定間隔を置いて壁部に２つ固定し、離間する２つのフックに物干し竿の両端を架設させることで、物干し竿に複数の物品を吊持させることができる。
【先行技術文献】
【特許文献】
【０００４】
【特許文献１】実用新案登録第３１８８６９８号公報（第７頁、第２図）
【発明の概要】
【発明が解決しようとする課題】
【０００５】
しかしながら、特許文献１にあっては、吊持装置が壁部にビスによって固定されていることから、吊持装置のフックに吊持された物品の荷重がビスと壁部との固定部分に集中する構造となっている。そのため、壁部の保持強度を上回る荷重の物品が吊持されると、壁部におけるビスとの固定部分が破損する虞があった。特に、壁紙の背部が石膏ボードとなっている壁部にあっては、保持強度が低く、破損し易く、上記したような構造の吊持装置を利用し難いという問題がある。
【０００６】
本発明は、このような問題点に着目してなされたもので、所定以上の荷重が吊掛部材に作用した場合であっても天井部または壁部の破損を防止することができる吊持装置を提供することを目的とする。
【課題を解決するための手段】
【０００７】
前記課題を解決するために、本発明の吊持装置は、
天井部または壁部に物品を吊るす吊持装置であって、
前記吊持装置は、前記天井部または壁部に固定されるベース部材と、該ベース部材に対して係止手段により係脱可能に係止される吊掛部材と、を備え、
前記吊掛部材に所定以上の荷重が作用した際に、前記ベース部材と前記吊掛部材との係止状態が解除されることを特徴としている。
この特徴によれば、吊掛部材に所定以上の荷重が作用した際には、ベース部材と吊掛部材との係止状態が解除されることで、天井部または壁部におけるベース部材との固定部分に作用していた荷重が解消されるため、ベース部材が固定されている天井部または壁部の破損を防止することができる。
【０００８】
前記吊掛部材は、前記ベース部材に対して上下方向に案内されて係止されていることを特徴としている。
この特徴によれば、吊掛部材とベース部材との係脱方法が上下方向に限定されるため、吊掛部材の前後方向に外力が作用した際には、吊掛部材とベース部材との係止状態が解除されず、物品の吊持状態を維持することができる。
【０００９】
前記係止手段は、係止部と該係止部に対して係止されるピンとからなり、前記ピンは所定以上の荷重が前記吊掛部材に作用した際に、前記係止部との係止状態が解除されることを特徴としている。
この特徴によれば、ピンは小さな動作で係止部との係止状態を解除することができることから、迅速にベース部材と吊掛部材との係止状態を解除することができる。
【００１０】
前記係止部は、下向きに傾斜する傾斜面を有し、
前記ピンは、前記傾斜面に対して押圧力を作用させる付勢手段を備えていることを特徴としている。
この特徴によれば、ピンと傾斜面との当接部分に作用する荷重が、付勢手段の押圧力を上回ることでピンが後退され、係止状態が解除されるため、ベース部材と吊掛部材との係止状態が解除される所定の荷重を付勢手段の付勢力の調整により適宜変更することができる。
【００１１】
前記傾斜面は、弧状であることを特徴としている。
この特徴によれば、傾斜面が弧状であり、傾斜面とピンとの接線が略水平から略垂直に漸次推移するような曲率となっているため、傾斜面前半側では傾斜角度が小さいことからピンが後退し難く、傾斜面後半側では傾斜角度が大きいことからピンが後退しやすいことから、吊掛部材に作用する荷重の変化がピンの後退量に大きく作用することになり、所定の荷重を超えるとベース部材と吊掛部材との係止状態が速やかに解除される。
【図面の簡単な説明】
【００１２】
【図１】実施例１における吊持装置を示す斜視図である。
【図２】吊持装置を示す正面から見た分解斜視図である。
【図３】吊持装置を示す背面から見た分解斜視図である。
【図４】（ａ）〜（ｃ）は、吊持装置の壁部への取付けおよび組立てを示す斜視図である。
【図５】（ａ）〜（ｃ）は、傾斜面に対するピンの接触位置における態様を示す正面から見た一部断面模式図である。
【図６】（ａ）は、使用可能状態における吊持装置を示す一部断面正面図であり、（ｂ）は、所定荷重の物品を吊持する吊持装置を示す一部断面正面図である。
【図７】（ａ）は、耐荷重以上の荷重が作用しピンが傾斜面から離脱した状態を示す一部断面正面図であり、（ｂ）は、ベース部材から吊掛部材が脱落した状態を示す一部断面正面図である。
【図８】（ａ）は、実施例２における吊持装置を示す一部断面正面図であり、（ｂ）は、実施例２における吊持部材を示す側面図である。
【発明を実施するための形態】
【００１３】
本発明に係る吊持装置を実施するための形態を実施例に基づいて以下に説明する。尚、説明の都合上、図５〜図８については、吊掛部材の前面部分を省略して図示している。
【実施例１】
【００１４】
実施例１に係る吊持装置につき、図１〜図７を参照して説明する。以下、図２の紙面左下側を吊持装置の正面側（前方側）とし、その前方側から見たときの上下左右方向を基準として説明する。
【００１５】
本実施例１の吊持装置１は、フック部材６にハンガーなどを介して物品を吊持させることができるものである。また、例えば図１に示されるように、壁部Ｗ，Ｗ’に所定間隔を置いて取り付け、二つの吊持装置１，１のフック部材６，６に物干し竿１０を略水平に架設することで、物干し竿１０に複数の物品Ａを吊るせるようにして使用してもよい。
【００１６】
図２に示されるように、吊持装置１は、略板状のベース部材２と、ベース部材２の上部に取付け可能なピンカバー３と、ベース部材２に嵌挿可能な吊掛部材４と、から主に構成されている。
【００１７】
図２，図３に示されるように、ベース部材２は、射出成形によって略板状に成形された樹脂製のものであり、基部２０と、基部２０の正面視左方において下端部から上部に亘って形成された左壁部２３と、基部２０の正面視右方において下端部から上部に亘って形成された右壁部２６と、を備え、基部２０および左右の壁部２３，２６によって水平断面視略コ字状のガイド溝２９が形成されている。
【００１８】
また、基部２０は、左右の壁部２３，２６よりも上方に延出されており、該延出された部分には、上端部において下方に向け切欠かれて形成された被係止部２１ａと、正面部から背面部にかけて貫通する複数の挿通孔２０ａ，２０ｂ，…と、複数の挿通孔２０ａ，２０ｂ，…の略中央かつ下方に形成された取付孔２１ｂと、が形成されている。さらに、基部２０の左右端部には、上下方向に亘って背面側から前面側に凹む左右の段部２１Ｌ，２１Ｒが形成されている。
【００１９】
また、複数の挿通孔２０ａ，２０ｂ，…は、挿通孔２０ａ，２０ａ，…が挿通孔２０ｂ，２０ｂ，…の上方かつ正面部から背面部にかけて右方向に傾斜して形成されており、挿通孔２０ｂ，２０ｂ，…が正面部から背面部にかけて左方向に傾斜して形成されている。
【００２０】
左壁部２３は、上下方向に長尺かつ肉抜きされたリブ構造に形成されており、正面視左側端部の下端部から右方向にかけて形成された切欠き部２４と、正面視左側端部の上端部から右方向に下降するように形成された後述する係止手段５の一部の係止部である傾斜面２５と、傾斜面２５の下端から鉛直方向に垂下する平坦面２３ａと、を備え、傾斜面２５は、右壁部２６に対向する弧状に形成されている。
【００２１】
右壁部２６は、上下方向に長尺に形成されており、正面視右側端部の下端部から左方向にかけて形成された切欠き部２７を備えている。尚、左壁部２３と右壁部２６とは肉抜きされたリブ構造に形成されていることから、構造強度が高められるとともに、軽量化が成されている。さらに尚、左壁部２３と右壁部２６とは、ブロック状であってもよく、肉抜きされたリブ構造に限定するものではない。
【００２２】
また、図２，図３に示されるように、左右の壁部２３，２６の切欠き部２４，２７が形成された位置の基部２０には、前後方向に貫通する複数の挿通孔２０ｃ，２０ｄ，…が、上述の挿通孔２０ａ，２０ｂと同様に、切欠き部２４に位置する挿通孔２０ｃが正面部から背面部にかけて右方向に傾斜するように形成され、切欠き部２７に位置する挿通孔２０ｄが正面部から背面部にかけて左方向に傾斜するように形成されている。
【００２３】
ピンカバー３は、射出成形によって正面視略下向き凸字状に成形された樹脂製のものであり、基部３０と、基部３０の正面視左方において上端部から上下方向略中央に亘って形成された左壁部３３と、基部３０の正面視右方において上端部から上下方向略中央に亘って形成された右壁部３６と、を備え、該ピンカバー３の中央部には、基部３０および左右の壁部３３，３６によって上部断面視略コ字状のガイド溝３９が形成されている。
【００２４】
また、基部３０には、上端部略中央において後方に延設され下向き鉤状を成す係止片３０ａと、基部３０の下端部略中央において後方に延設された挿嵌部３０ｂが形成されている。
【００２５】
左壁部３３は、正面視略下向き逆Ｌ字状に形成され、右壁部３６は、正面視略下向きＬ字状に形成されている。また、左壁部３３は、詳しくは図６に示すように、右壁部３６よりも左右寸法が短尺に形成されている。尚、左右の壁部３３，３６は、肉抜きされたリブ構造であってもよく、ブロック状であってもよい。
【００２６】
吊掛部材４は、上面視略コ字状に形成されたカバー体４０と、吊掛部材４に取付けられる係止手段５の一部であるピン部材５０（ピン）およびコイルバネ５５（付勢手段）（図３参照）と、吊掛部材４に回動可能に支持されるフック部材６と、を具備している。
【００２７】
カバー体４０は、射出成形によって正面視略長方形状に成形された樹脂製のものであり、略長方形状の前面部４１と、前面部４１の左右両端部から後方に向かって屈曲されて延設された左面部４２Ｌおよび右面部４２Ｒと、を備え、左面部４２Ｌおよび右面部４２Ｒの後端部には、左右方向略中央に向かって前面部４１と略平行に延設された左ガイド片４３Ｌおよび右ガイド片４３Ｒが形成されている。
【００２８】
また、カバー体４０の裏面４０ｂには、略中央において前面側に凹む凹部４０ａが上下方向に亘り形成されており、凹部４０ａの内側には、下端部に亘り取付枠部４４が形成されている。このように取付枠部４４は、凹部４０ａに形成されているため、カバー体４０内に収まりながら、取付枠部４４に必要な前後方向の厚み寸法を十分に確保することができる。また、取付枠部４４は、上方に位置する上枠部４５と、下方に位置する下枠部４８と、によって形成されている。
【００２９】
上枠部４５は、左右方向に長尺かつ肉抜きのリブ構造に形成されており、リブ構造を形成する正面視左側の側壁を説明の便宜のため左側壁４６と、リブ構造を形成する正面視右側の側壁を右側壁４７と、それぞれ呼称する。また、上枠部４５によって左側壁４６から右側壁４７にかけて後方側に開口する略長方形状の収納部４５ａが形成されている。
【００３０】
また、上枠部４５の上端部には、左側壁４６側から略中央にかけて収納部４５ａに挿通する長孔４５ｂが形成され、上枠部４５の左側壁４６には、貫通孔４６ａが形成されている。
【００３１】
下枠部４８は、上下方向に長尺かつ肉抜きのリブ構造に形成されており、上下に平行に所定間隔を置いて三枚の係止片４８ｂ，４８ｂ，４８ｂが設けられている。これら係止片４８ｂ，４８ｂ，４８ｂの略中央にはラウンド形状の切欠き４８ａ，４８ａ，４８ａが形成されており、これら切欠き４８ａ，４８ａ，４８ａが上下方向に連なることで溝部４９が形成されている。
【００３２】
図６（ａ）に示されるように、係止手段５は、ピン部材５０と、コイルバネ５５と、上述したベース部材２の左壁部２３の傾斜面２５と、から構成されている。図３に示されるように、ピン部材５０は、鍔部５２と、鍔部５２より径が細く形成され、鍔部５２の略軸心から左方向に突出するピン部５１と、を具備し、鍔部５２の上端部には上方に突出する凸部５２ａが形成されている。また、ピン部５１は、略四角柱状に形成されており、先端部が略半球状となっている。
【００３３】
ピン部材５０の鍔部５２の凸部５２ａは、収納部４５ａを構成する上枠部４５の長孔４５ｂに挿嵌され、ピン部５１は収納部４５ａを構成する上枠部４５の左側壁４６の貫通孔４６ａに挿通される。
【００３４】
コイルバネ５５は、両端部をそれぞれ鍔部５２と右側壁４７とに圧接させた状態で収納部４５ａに収納される。このとき、コイルバネ５５は、一端がピン部材５０の鍔部５２の側壁５２ｂによって前方向への移動が規制され、他端が収納部４５ａを構成する左前壁４７ａによって前方向への移動が規制されているため、コイルバネ５５が抜け落ち難く、後述する吊掛部材４の落下時のコイルバネ５５の紛失を防止できる。
【００３５】
尚、コイルバネ５５は、ピン部材５０の鍔部５２や上枠部４５の右側壁４７に、接着剤や粘着剤等により取り付けられていてもよい。さらに尚、コイルバネ５５は、ピン部材５０の鍔部５２や上枠部４５の右側壁４７に形成された対向する一対の軸部に挿嵌されることで取付けられていてもよい。
【００３６】
また、コイルバネ５５は、ピン部材５０の鍔部５２が左側壁４６に当接することで正面視左側への移動が規制された状態でピン部材５０を正面視左方向に付勢している。
【００３７】
また、ピン部材５０は、鍔部５２の凸部５２ａが上枠部４５の長孔４５ｂに挿嵌されて前後方向への移動が案内されるとともに、長孔４５ｂ内で移動量が規制されている。
【００３８】
フック部材６は、射出成形によって正面視略Ｌ字状に成形された樹脂製のものであり、上下方向に延びて形成された軸部６０と、軸部６０の下端部から屈曲しかつ端部が反り上がるように形成されたフック部６５と、を具備している。
【００３９】
軸部６０の上下方向の周面には、所定間隔を置いて形成された環状溝６０ａ，６０ｂ，６０ｃが形成されている。これら環状溝６０ａ，６０ｂ，６０ｃは、カバー体４０の下枠部４８の切欠き４８ａ，４８ａ，…にそれぞれ挿嵌され、フック部材６がカバー体４０に対して水平方向に回動可能に支持される。これによれば、フック部材６は、物品を吊下げる際の向きを任意に変更することができ、かつ物品を吊下げない際には、壁部Ｗ側に寄せて部屋内に張り出さないようにできる。
【００４０】
これまで、吊持装置１の構成について説明してきたが、次いで吊持装置１を壁部Ｗに取付ける態様について、図４（ａ）〜（ｃ）および図６（ａ）を用いて説明する。
【００４１】
まず、吊持装置１の壁部Ｗへの取付位置を決め、図４（ａ）に示されるように、ベース部材２の複数の挿通孔２０ａ，２０ｂ，２０ｃ（図３参照），２０ｄ，…を介して取付ピン７，７，…を壁部Ｗに打ち込み、ベース部材２を壁部Ｗの取付位置に固定する。この取付ピン７は、略針状に形成された小径のものであるため、ベース部材２を取外した際に、壁部Ｗに目立つ穴が形成され難い。
【００４２】
また、挿通孔２０ａ，２０ｂは、前面部から背面部にかけて互いに交差する角度で形成されているため、取付ピン７，７，…が挿通孔２０ａ，２０ｂに案内された角度で壁部Ｗに打ち込まれる。これによれば、取付ピン７，７，…同士が、互いの抜け方向に交差して抜け止めするように機能するため、例えば石膏ボードのような比較的強度の低い壁材に対しても、高い固定強度でベース部材２を固定することができる。尚、挿通孔２０ｃ（図３参照），２０ｄについては、位置が異なる以外は挿通孔２０ａ，２０ｂと略同一であるため、取付についての説明を省略する。
【００４３】
次いで、図４（ｂ）に示されるように、壁部Ｗに固定したベース部材２の被係止部２１ａ（図４（ａ）参照）にピンカバー３の係止片３０ａを係止させ、ピンカバー３の挿嵌部３０ｂをベース部材２の取付孔２１ｂ（図４（ａ）参照）に挿嵌させることで、ピンカバー３をベース部材２に取付ける。これにより、壁部Ｗに打ち付けられた取付ピン７，７，…が振動により壁部Ｗから抜けることを防ぐことができる。
【００４４】
また、ピンカバー３の基部３０は、ベース部材２に取付けられた際に、ベース部材２の挿通孔２０ａ，２０ａ，…（図４（ａ）参照）を覆い、かつ、ベース部材２の基部２０と略同一面を形成している。また、ベース部材２のガイド溝２９とピンカバー３のガイド溝３９は、上下方向に連続した状態となる。尚、ピンカバー３の係止片３０ａは、ベース部材２の壁部Ｗに当接している背面部よりも後方に突出しない奥行寸法となっている。
【００４５】
次いで、ピンカバー３が取付けられたベース部材２の上方から、吊掛部材４を挿嵌させる（図４（ｃ）参照）。このとき、図６（ａ）に示されるように、収納部４５ａから正面視左方向に突出するピン部材５０のピン部５１が、ベース部材２の左壁部２３の傾斜面２５に当接することで、吊掛部材４がピン部５１と傾斜面２５とを介してベース部材２に支持された状態となる。この状態が、フック部材６に物品Ａ等を吊下げ可能な使用可能状態である。
【００４６】
また、吊掛部材４のカバー体４０は、図４（ｃ）に示されるように、カバー体４０の前面部４１および左右の面部４２Ｌ，４２Ｒの内面がベース部材２およびピンカバー３の前面部および左右側端部に略当接し、かつ左右のガイド片４３Ｌ，４３Ｒがベース部材２の左右の段部２１Ｒ，２１Ｌにそれぞれ略当接することで、カバー体４０の前後方向への移動が規制される。
【００４７】
換言すると、カバー体４０は、ベース部材２およびピンカバー３に外嵌し、これらベース部材２およびピンカバー３の外形により上下方向に案内されて係脱される。さらに、吊掛部材４の前後方向に外力が作用した際には、吊掛部材４とベース部材２との係止状態が解除されず、物品の吊持状態を維持することができる。
【００４８】
図６（ａ）に示されるように、ピンカバー３のガイド溝３９は、その幅方向の寸法が取付枠部４４と取付枠部４４から突出したピン部５１との幅方向の寸法より長尺に形成されているため、ピン部５１がガイド溝３９に引っ掛かり難く、ベース部材２への吊掛部材４の挿嵌が容易となっている。
【００４９】
次いで、使用可能状態にある吊持装置１に物品を吊下げる際の態様について、図５〜図７を用いて説明する。尚、説明の都合上、吊持装置１に吊下げる物品の図示は省略する。
【００５０】
ベース部材２の傾斜面２５は、傾斜面２５とピン部材５０のピン部５１との接線が略水平から略垂直に漸次推移するような曲率の弧状となっている。そのため、ピン部５１に対して鉛直方向に力が作用すると、ピン部５１、その先端部が傾斜面２５に案内されて、下方側へ摺動するようになっている。ピン部５１が摺動すると、その反力によりピン部材５０を収納部４５ａ側に後退させる方向に力が作用し、コイルバネ５５に圧縮応力が作用する。
【００５１】
コイルバネ５５によりピン部材５０には所定の付勢力が作用しているため、水平向に作用するコイルバネ５５の付勢力がピン部材５０のピン部５１の先端部がベース部材２の傾斜面２５に対して押圧される押圧力として作用するようになっている。
【００５２】
図５（ａ），図６（ａ）に示されるように、吊持装置１は、使用可能状態において物品が吊下げられていない場合には、吊掛部材４の自重によりピン部材５０のピン部５１が正面視扇状に形成されたベース部材２の傾斜面２５上の位置Ｐ１に点当接している。
【００５３】
図５（ａ）の状態は、ピン部５１の先端部がベース部材２の傾斜面２５に対して押圧される押圧力Ｖ１（コイルバネ５５の付勢力）が、ピン部５１に対して鉛直方向に作用する力Ｓ１（ここでは吊掛部材４の自重）に起因するコイルバネ５５に作用する圧縮応力Ｕ１よりも大きいため、ピン部５１との当接位置が位置Ｐ１にて安定している。
【００５４】
フック部６５に物品が吊下げられると、ピン部５１に対して鉛直方向に作用する力（ここでは吊掛部材４の自重＋物品の荷重）に起因するコイルバネ５５に作用する圧縮応力が増大し、この圧縮応力が押圧力を勝った時点から、ピン部材５０が収納部４５ａ側に後退する。そのため、ピン部５１に対して鉛直方向に作用する力（ここでは吊掛部材４の自重+物品の荷重）の増大に比例してピン部材５０が収納部４５ａ側に後退する。換言すると、フック部６５に吊下げられる物品の荷重が増すごとに、ピン部５１が漸次傾斜面２５上を摺動する。
【００５５】
図５（ｂ），図６（ｂ）の状態は、フック部６５に所定荷重Ｓ２（設定された耐荷重の上限）分の物品が吊下げられた状態を示している。この状態では、圧縮応力が押圧力に抗してコイルバネ５５を圧縮し、ピン部５１が傾斜面２５の略中央の位置Ｐ２にて、圧縮応力Ｕ２と押圧力Ｖ２とが略釣り合った状態となっており、ピン部５１が傾斜面２５の略中央の位置Ｐ２にて安定し、係止状態が維持されている。
【００５６】
図５（ｃ），図７（ａ）の状態は、フック部６５に所定荷重Ｓ２を超える超過荷重Ｓ３の物品が吊下げられた状態を示している。この状態では、圧縮応力が押圧力を上回っている。そのため、圧縮応力Ｕ３が押圧力Ｖ３に抗してコイルバネ５５を圧縮し、ピン部５１がベース部材２の傾斜面２５の略中央の位置Ｐ２を超えた傾斜面２５の後半側（図５において、大きいドットで示した箇所）に移動する。これにより、ピン部材５０のピン部５１がベース部材２の傾斜面２５から離脱し平坦面２３ａに移動することで、ピン部５１による係止状態が解除され、吊掛部材４がベース部材２のガイド溝２９に案内されながら下方に落下する（図７（ｂ）参照）。
【００５７】
このとき、ピン部材５０のピン部５１とベース部材２の傾斜面２５との接線Ｌ３は、接点から水平方向に延びる仮想線γとの成す角度が４５度を超えており、吊掛部材４を支持する力のピン部５１の先端部と傾斜面２５との間に生じる摩擦力への依存が高まり、ピン部５１が傾斜面２５上を摺動し易くなっている。換言すると、傾斜面２５の後半側では、傾斜面２５の前半側と比較して、同量に増加する荷重量に対するコイルバネ５５に作用する圧縮応力の増加量が大きくなっている。
【００５８】
また、物品の荷重により吊掛部材４のピン部材５０のピン部５１がベース部材２の傾斜面２５を摺動するほどに、ピン部５１と傾斜面２５との接線の傾斜角度が略垂直に推移していくため、物品の荷重による作用も比例して増加するようになっている。
【００５９】
吊掛部材４の落下時には、ピン部５１がベース部材２の左壁部２３の平坦面２３ａに摺動するため、吊掛部材４がベース部材２のガイド溝２９より完全に離脱するまで、ピン部５１は左壁部２３に押圧力を作用させており、吊掛部材４の落下スピードが減退されている。
【００６０】
上記したように、吊持装置１は、所定荷重を超える物品がフック部６５，６５に吊下げられた際に、吊掛部材４が所定荷重を超える物品とともにベース部材２から脱落するため、ベース部材２が固定されている壁部Ｗの破損を防止することができる。
【００６１】
また、所定荷重を超える物品がフック部６５，６５に吊下げられたことでベース部材２から脱落した吊掛部材４は、上述したように、ベース部材２の上方から挿嵌させることで、使用可能状態に復帰させることができる。
【００６２】
また、傾斜面２５の前半側では、図５（ｂ）に示すように、ピン部材５０のピン部５１とベース部材２の傾斜面２５との接線Ｌ２と、略中央の位置Ｐ２から水平方向に延びる仮想線βとの傾斜角度が最大で略４５度（最小の傾斜角度は、図５（ａ）に示す位置Ｐ１における仮想線αに対する接線Ｌ１の傾斜角度）となっており、傾斜面２５の後半側に比べて傾斜角が寝ており、ピン部５１が傾斜面２５上を摺動し難くなっている。すなわち、フック部６５，６５に作用する物品の荷重の合計が所定以下である場合にはピン部５１が傾斜面２５の前半側と接しており、安定して物品を吊持することができるとともに、フック部６５，６５に作用する物品の荷重の合計が所定荷重を超えた場合にはピン部５１が傾斜面２５の後半側を摺動し係止状態が速やかに解除される。
【００６３】
また、図５（ｂ），図６（ｂ）に示されるように、物品の荷重の合計が所定以下である場合、ピン部５１が位置Ｐ１から略中央の位置Ｐ２に移動するまでのピン部５１が移動する上下方向の高低差Ｔ１が小さいことから、フック部６５の高さ位置の移動量が少なく、使用感が良い。
【００６４】
尚、本実施例１では、物品の荷重が所定荷重Ｓ２である際に、圧縮応力Ｕ２と押圧力Ｖ２とが略釣り合った状態となるように構成されている形態を例示したが、ベース部材２の傾斜面２５の形状、コイルバネ５５の付勢力等により、圧縮応力Ｕ２と押圧力Ｖ２とが釣り合う位置が略中央の位置Ｐ２でなくともよい。
【００６５】
これまで説明してきたように、本実施例１における吊持装置１は、ピン部材５０のピン部５１は、カバー体４０の上枠部４５の左側壁４６からの突出寸法内における小さい動作でベース部材２の傾斜面２５との係止状態を解除することができることから、迅速にベース部材２と吊掛部材４との係止状態を解除することができる。
【００６６】
また、ピン部材５０のピン部５１とベース部材２の傾斜面２５との当接部分に作用する荷重が、コイルバネ５５の押圧力を上回ることでピン部５１が後退され、ベース部材２の傾斜面２５との係止状態が解除されるため、ベース部材２と吊掛部材４との係止状態が解除される所定の荷重をコイルバネ５５の付勢力の調整により適宜変更することができる。
【実施例２】
【００６７】
次に、実施例２に係る吊持装置１０１につき、図８（ａ），（ｂ）を参照して説明する。尚、前記実施例と同一構成で重複する構成を省略する。
【００６８】
吊持装置１０１は、ベース部材１０２の左壁部１２３において、正面視左側端部の上端部から右方向に下降するように形成された上傾斜面１２５ａと、正面視左側端部の下端部から右方向に上昇するように形成された下傾斜面１２５ｂと、が形成されている。これにより、前記実施例１のように、ベース部材１０２の上方から吊掛部材４を挿嵌させるだけでなく、ベース部材１０２の下方から吊掛部材４を挿嵌させることができる。
【００６９】
また、ベース部材１０２は、図８（ｂ）に示されるように、上方に後方に向かって延出する側面視略下向き逆Ｌ字状に形成された接続部材１０２ａを介すことで、複数の取付ピン７，７，…により天井部Ｃに取付けることもできる。この場合、上記した構成から吊持装置１０１が天井部Ｃに取付けられた場合であっても、ベース部材１０２の下方から吊掛部材４を装着可能である。尚、接続部材１０２ａは、ベース部材１０２と一体に形成されていてもよい。
【００７０】
以上、本発明の実施例１，２を図面により説明してきたが、具体的な構成はこれら実施例１，２に限られるものではなく、本発明の要旨を逸脱しない範囲における変更や追加があっても本発明に含まれる。
【００７１】
例えば、前記実施例１では、ベース部材２は、複数の取付ピン７，７，…により取り付けられる態様として説明したが、これに限らず、釘やボルト、粘着テープや接着剤等で取付けられてもよく、複数の取付ピン７，７，…に限定するものではない。
【００７２】
また、ベース部材２には、ピンカバー３が装着される態様として説明したが、これに限らず、ピンカバー３が装着されない態様であってもよく、ピンカバー３のガイド溝３９がベース部材２に直接形成されていてもよい。この態様であれば、部材点数を減らすことができる。
【００７３】
また、左壁部２３や右壁部２６は、全体が略半円状の円弧状に形成されていてもよく、本実施例１，２における形状に限定するものではない。
【００７４】
また、ベース部材２の左右の壁部２３，２６と吊掛部材４の上枠部４５並びにピン部材５０およびコイルバネ５５とが、互いに入れ替えられかつ略上下反転された態様であってもよい。詳しくは、カバー体の裏面に左右の壁部が形成され、左壁部の正面視左側端部の下端部から右方向に上昇するように傾斜面が形成され、この傾斜面と係止可能にベース部材の下部に上枠部４５と略同一に形成された枠部並びにピン部材およびコイルバネを備える態様とすることで、壁部Ｗに固定されるベース部材にピン部材およびコイルバネが備えられることから、ピン部材およびコイルバネが落下し難くなる。
【００７５】
係止手段５の一部である係止部は、傾斜面２５である態様として説明したが、これに限らず、係止部は、傾斜面２５だけに限定するものではなく、例えば傾斜面と水平面との組み合わせでもよく、少なくともピン部材５０が係止可能な傾斜面を有する態様であればよい。
【００７６】
傾斜面２５は、接線が略水平から略垂直に漸次推移するような曲率の弧状である態様として説明したが、これに限らず、接線が略垂直から略水平に漸次推移するような曲率の弧状であってもよく、略楕円形状の一部であるような曲率の弧状であってもよく、略直線状の傾斜面であってもよく、限定するものではない。この態様であれば、付勢手段だけでなく、傾斜面の形状でも所定の荷重を変更することができる。
【００７７】
また、傾斜面２５は、ベース部材２の左壁部２３に形成されている態様として説明したが、これに限らず、右壁部２６に形成されていてもよく、ピン部材５０のピン部５１に形成されていてもよく、左壁部２３および／または右壁部２６とピン部材５０にそれぞれ形成されていてもよい。
【００７８】
また、ベース部材２の挿通孔２０ａ，２０ｂ，２０ｃ，２０ｄは、傾斜をつけて形成されている態様として説明したが、これに限らず、傾斜が形成されていなくともよく、上下方向に傾斜するように形成されていてもよく、その形状を限定するものではない。さらに、挿通孔２０ａ，２０ｂ，…のみを介して取付ピン７，７，…が壁部Ｗに打ち付けられることでベース部材２が壁部Ｗに固定されてもよい。
【００７９】
上枠部４５は、筒状に形成されていてもよい。この態様であれば、コイルバネ５５の落下を防止しやすい。
【００８０】
係止手段５は、コイルバネ５５により付勢されるピン部材５０を備える態様として説明したが、これに限らず、所定の荷重を超える荷重により破断する使い捨てのピン部材を用いてもよい。この態様であれば、係止手段５の係止部は、傾斜面２５を有していなくともよい。
【００８１】
フック部材６は、略Ｌ字状に形成された態様として説明したが、これに限らず、軸部６０の先端にリングが形成されていてもよく、その形状を限定するものではない。また、軸部６０の端部に軸部６０の直径よりも大径な球体が形成されており、これによって吊掛部材４に回動可能に軸支されていてもよい。さらに、カバー体４０に回動不能に一体形成されていてもよい。
【００８２】
ベース部材２、ピンカバー３、カバー体４０、ピン部材５０およびフック部材６は、金属の折曲成形や押出成形等で形成されていてもよく、樹脂材の射出成形に限定するものではない。
【符号の説明】
【００８３】
１，１０１        吊持装置
２，１０２        ベース部材
４                吊掛部材
５                係止手段
１０              物干し竿
２５              傾斜面（係止部）
５０              ピン部材（ピン）
５５              コイルバネ（付勢手段）
１２５ａ          上傾斜面
１２５ｂ          下傾斜面
Ａ                物品
Ｃ                天井部
Ｗ                壁部
【図１】
2018138074.tif 000003
【図２】
2018138074.tif 000004
【図３】
2018138074.tif 000005
【図４】
2018138074.tif 000006
【図５】
2018138074.tif 000007
【図６】
2018138074.tif 000008
【図７】
2018138074.tif 000009
【図８】
2018138074.tif 000010